(57)【特許請求の範囲】
【請求項１】
印字体４を有する印判部３を把持筒部２の一端に着脱自在に嵌着させた印鑑本体１と、印字体４の印面を覆うキャップ１５と、把持筒部２の外側面に取り付けたクリップ７のスライドレール部９に摺動自在に取り付けられ、一端をキャップ１５の一側に枢着してあるスライド１０と、スライド１０の表面に摺動自在に取り付けられ、常時は一端がキャップ１５の枢着側外面に当接してキャップ１５を閉塞位置にロックするストッパー１８とを備えており、ストッパー１８とスライド１０を摺動させることによりキャップ１５の開閉を行なうことができるキャップ付き印鑑において、スライド１０の上面に、係止凸部１２を形成する開口部１１を設けると共に、ストッパー１８の上面に、開口部１１と連通する窓部２０を設け、窓部２０には、常時は一端が係止凸部１２に当接してストッパー１８を摺動しない様にロックする係止片２２を有するロックボタン２１を、ストッパー１８の上面に突出する様に上下動自在に配設し、ロックボタン２１の下面には、下端がスライドレール部９の表面に当接すると共に一端が開口部１１の開口端部１１′に当接して、常時はロックボタン２１を上方に付勢すると共にストッパー１８をキャップ１５の枢着側方向に付勢する板ばね２３を固着したことを特徴とするキャップ付き印鑑。
【発明の詳細な説明】
【０００１】
【産業上の利用分野】
本発明は、多孔質材よりなる印字体を使用した印鑑であって、前記印字体の先端を覆うキャップがスライド開閉する携帯用のキャップ付き印鑑に関する。
【０００２】
【従来の技術】
従来より、多孔質材にインクを含浸させたものを印字体としたキャップを有する印鑑はよく知られているが、従来のキャップは、印鑑本体と分離着脱するものであったため、携帯時にキャップが脱落して手や衣服にインクがついてしまったり、キャップを紛失してしまうなどの問題があった。
【０００３】
そこで、前記問題を解決するために、印鑑本体とキャップとが分離着脱しない印鑑に関する出願として実開平３−９５２９０号（以下（イ）とする。）、実開平３−１０３７５６号（以下（ロ）とする。）、実開平６−４２１９９号（以下（ハ）とする。）等がある。
【０００４】
（イ）、（ロ）の印鑑は、印鑑を保持している軸筒に、印字体を覆う蓋体を回動自在に設けたキャップを摺動自在に嵌合してあり、前記キャップを軸筒に沿って軸方向に摺動させることにより印鑑の頂面の側縁が蓋体の内側面に当接して蓋体が回動を開始して蓋体が開くものであり、又、キャップに設けられた係止部と軸筒に設けられた係止溝とが係合することにより蓋体が閉じた状態または開いた状態を保持することができるものである。
【０００５】
（ハ）の印鑑は、把持筒部に印字体を有する印判部を続かせた印鑑本体に、前記印判部の先端を覆う印字キャップを設け、前記印字キャップの端部にヒンジ機構を介して摺動子の一端を枢着して、前記摺動子を摺動させることにより前記印字キャップの開閉操作ができるもので、又、前記摺動子の表面には、一端が前記印字キャップの枢着側外面に当接して、前記印字キャップを閉塞位置にロックする押さえ部材を摺動自在に取り付けたものである。
【０００６】
しかしながら、（イ）、（ロ）の印鑑は、長期間使用しているうちに係止部と係止溝とが摩擦により削られて係合力が弱くなってキャップが簡単に摺動する様になってしまい、携帯時等においてキャップが自然に摺動して蓋体が開いてしまい、手や衣服等にインクが付いてしまったり、印面にホコリやゴミ等が付着してしまうという欠点があった。
又、（イ）、（ロ）の印鑑は、構造が複雑で外観が大型なものであり、携帯がしずらいと共に、片手ではキャップの開閉操作がしずらいという欠点があった。
【０００７】
又、（ハ）の印鑑は、衣服のポケット等に携帯する時などにおいて印字キャップがぶらついて印字キャップを閉塞位置にロックしている押さえ部材が徐々に摺動していってロックが解除されてしまい、携帯時等に印字キャップが勝手に開いて手や衣服等にインクが付いてしまうという欠点があった。
【０００８】
【発明が解決しようとする課題】
そこで、本発明は、携帯時等において印字体を覆うキャップが勝手に開くことがない様にすると共に、外観を小型化して携帯しやすくし、更に、キャップの開閉操作を片手で容易に行なうことができる操作性に優れたキャップ付き印鑑を提供することを目的とする。
【０００９】
【課題を解決するための手段】
本発明は、前記課題を解決するために、印字体４を有する印判部３を把持筒部２の一端に着脱自在に嵌着させた印鑑本体１と、印字体４の印面を覆うキャップ１５と、把持筒部２の外側面に取り付けたクリップ７のスライドレール部９に摺動自在に取り付けられ、一端をキャップ１５の一側に枢着してあるスライド１０と、スライド１０の表面に摺動自在に取り付けられ、常時は一端がキャップ１５の枢着側外面に当接してキャップ１５を閉塞位置にロックするストッパー１８とを備えており、ストッパー１８とスライド１０を摺動させることによりキャップ１５の開閉を行なうことができるキャップ付き印鑑において、スライド１０の上面に、係止凸部１２を形成する開口部１１を設けると共に、ストッパー１８の上面に、開口部１１と連通する窓部２０を設け、窓部２０には、常時は一端が係止凸部１２に当接してストッパー１８を摺動しない様にロックする係止片２２を有するロックボタン２１を、ストッパー１８の上面に突出する様に上下動自在に配設し、ロックボタン２１の下面には、下端がスライドレール部９の表面に当接すると共に一端が開口部１１の開口端部１１′に当接して、常時はロックボタン２１を上方に付勢すると共にストッパー１８をキャップ１５の枢着側方向に付勢する板ばね２３を固着したことを特徴とするキャップ付き印鑑である。
【００１０】
【作用】
スライド１０の表面に摺動自在に取り付けられたストッパー１８がキャップ１５を閉塞位置にロックしている時には、ロックボタン２１は板ばね２３の弾発力により上方に付勢されて、ロックボタン２１の係止片２２の一端とスライド１０の開口部１１の開口縁に設けられた係止凸部１２とが当接しているので、ストッパー１８は摺動しない様にロックされる。
そして、ロックボタン２１を押圧して、係止片２２の一端とスライド１０の係止凸部１２との当接を解くことにより、ストッパー１８のロックを解除することができ、キャップ１５を開くことができる。
又、携帯時等においてストッパー１８のロックが解除されてしまって、ストッパー１８がキャップ１５のロックを解除する方向に摺動しようとしても、板ばね２３の一端がスライド１０の開口部１１の開口縁に当接しているため、その板ばね２３の弾発力により、ストッパー１８は常にキャップ１５の枢着側方向に付勢されているので、ストッパー１８はキャップ１５をロックする方向に押し戻され、キャップ１５は常に閉塞位置にロックされる。
【００１１】
【実施例】
以下、本発明の実施例を図１、図２、図３、図４、図５にて詳細に説明する。
１は印鑑本体で、多孔質材よりなる印字体４を受金５にて保持している印判部３を、筆記具等の軸筒としても使用できる把持筒部２の一端に、着脱自在に嵌着させたものである。
そして、本実施例の印判部３には、印字体４に続かせてインキ吸蔵体を内蔵しており、更にそのインキ吸蔵体にインキを供給するインキカートリッジ６を着脱自在に嵌着してある。
よって、インキ補充を行う時には、印判部３を把持筒部２より取り外してインキカートリッジ６を交換すれば良い。
【００１２】
７は把持筒部２の外側面に固着された板状のクリップで、一端にはクリップホルダー８を装着してあり、クリップホルダー８が装着されている部分以外はスライドレール部９としている。
１０はスライドレール部９に摺動自在に取り付けられたスライドで、上面には、スライドレール部９と連通する開口部１１を設けてあり、更に開口部１１の開口縁には、内側に突出する係止凸部１２を対向して設けてある。
又、スライド１０の上面一端には軸受け凸片１３を設けてあり、対向する側面には摺動溝１４を設けてある。
１５は印字体４の印面を覆うキャップで、一側には二股状の軸受け片１６が設けてあり、軸受け片１６の外面には当接面１６′が設けてある。
そして、キャップ１５の軸受け片１６には、スライド１０の軸受け凸片１３を挿入してあり、その軸受け凸片１３と軸受け片１６とを枢軸１７にて軸支して、キャップ１５はスライド１０に回動自在に枢着されている。
１８はストッパーで、対向する内側面に設けた摺動片１９をスライド１０の摺動溝１４にはめ込んでスライド１０の表面に摺動自在に取り付けてあり、上面にはスライド１０の開口部１１と連通する窓部２０を設けてある。
このストッパー１８は、キャップ１５が閉塞位置にある時にストッパー１８の上面一端に設けた当接凸片１８′をキャップ１５の軸受け片１６の当接面１６′に当接させることにより、キャップ１５を回動できない様にしてキャップ１５を閉塞位置にロックするものである。
【００１３】
２１はロックボタンで、ストッパー１８の上面に突出する様に、スライド１０の開口部１１を介してストッパー１８の窓部２０に上下動自在に配設してあり、対向する側面下方には、一端がスライド１０の係止凸部１２に当接する係止片２２を設けてある。
又、この係止片２２は、その上面がロックボタン２１の上面内側面に当接して、ロックボタン２１が窓部２０より外側に抜け出してしまわない様にするための抜け止めとしている。
そして、ロックボタン２１の下面には板ばね２３が固着してあり、板ばね２３の下端はスライドレール部１０の表面に当接してあると共に、一端をスライド１０の開口部１１の開口端部１１′に当接してある。
そして、ストッパー１８がキャップ１５を閉塞位置にロックしている時には、図１の様に板ばね２３がロックボタン２１を上方に付勢して、常時は係止片２２の一端が係止凸部１２に当接する様にしてある。
そして、この状態でストッパー１８がキャップ１５のロックを解除する方向、すなわちクリップホルダー８の方向に摺動しようとしても、ロックボタン２１はクリップホルダー８の方向に動くことができないので、ストッパー１８はクリップホルダー８の方向に摺動できない。
従って、ストッパー１８がキャップ１５を閉塞位置にロックしている時は、そのストッパー１８は摺動しない様にロックされることとなる。
【００１４】
又、板ばね２３の一端がスライド１０の開口部１１の開口端部１１′に当接しているため、ロックボタン２１には常時キャップ１５の枢着側方向への力がかかっている。
したがって、携帯している時等において、万が一ストッパー１８のロックが解かれてしまって、キャップ１５がぶらつく等してストッパー１８が摺動して図３の状態になろうとしても、板ばね２３の弾発力によりストッパー１８はキャップ１５の枢着側方向に付勢されているため、ストッパー１８はキャップ１５をロックする方向に押し戻されて、ストッパー１８の当接凸片１８′がキャップ１５の当接面１６′に当接するので、キャップ１５は完全に開くことはなく、キャップ１５は常に閉塞位置にてロックされる。
【００１５】
以上の様な構成によるキャップ付き印鑑にて捺印をする場合は、まず把持部材２を片手で把持してロックボタン２１を親指にて押圧し、図２の様にロックボタン２１を下降させて係止片２２の端部とスライド１０の係止凸部１２との当接を解いてストッパー１８のロックを解除する。
この状態でロックボタン２１を押圧している親指をクリップホルダー８の方向に動かすと、ロックボタン２１の端部が窓部２０の開口縁に当接しているため、ストッパー１８がスライド１０の摺動溝１４に沿ってクリップホルダー８の方向に摺動を開始する。
そして、ストッパー１８を摺動溝１４に沿って摺動させて、ストッパー１８の摺動片１９の端部が摺動溝１４の端部に当接すると、図３の様にキャップ１５の当接面１６′とストッパー１８の当接凸片１８′との当接が解かれてキャップ１５のロックが解除され、キャップ１５は回動自在となる。
この時、ロックボタン２１の係止片２２は係止凸部１２の下方に入り込んで、係止片２２の上面は係止凸部１２の下面に当接している。
尚、この状態でロックボタン２１を押圧している親指を離すと、板ばね２３の弾発力により、ストッパー１８はキャップ１５をロックする方向に摺動する。
【００１６】
そして、ストッパー１８を更にクリップホルダー８の方向に摺動しようとすると、ストッパー１８の摺動片１９の端部が摺動溝１４の端部に当接しているため、今度はスライド１０がスライドレール部９に沿ってクリップホルダー８の方向に摺動を開始する。
そして、スライド１０をスライドレール部９に沿って摺動させると、軸受け片１６をスライド１０の軸受け凸片１３に枢着してあるキャップ１５は枢軸１７を基点に開かれる。
この時、キャップ１５の開口端面はクリップ７の弧状面７′に案内され、キャップ１５はスムーズに開かれる。
そして、図４の様にストッパー１８の端部がクリップホルダー８に当接するまでスライド１０を摺動させると、キャップ１５は完全に開かれ印字体４の印面が露呈して捺印をすることができる。
【００１７】
次に捺印後は、前記操作と逆の操作を行えば良く、スライド１０をキャップ１５の方向にスライド１０の端部が弧状面７′の端部に当接するまで摺動させる。
そして、スライド１０の端部が弧状面７′の端部に当接した後、更にスライド１０をキャップ１５の方向に摺動させようとすると、今度はストッパー１８がスライド１０の摺動溝１４に沿って摺動を開始して、ストッパー１８の当接凸片１８′の端部がキャップ１５の当接面１６′の一部を押して、キャップ１５は閉塞方向に回動を開始する。
そして、更にストッパー１８を摺動させて、ストッパー１８の当接凸片１８′がキャップ１５の当接面１６′に当接してキャップ１５を閉塞位置にロックした時に、図１の様にロックボタン２１は板ばね２３の弾発力により上方に付勢されて上昇し、係止部２２の端部と係止凸部１２とが当接してストッパー１８は摺動しない様にロックされる。
【００１８】
【効果】
以上の様に本発明は、ストッパー１８がキャップ１５を閉塞位置にてロックしている時は、ストッパー１８は摺動しない様にロックされ、又、キャップ１５のロックが解除されそうになってもストッパー１８がキャップ１５を常に閉塞位置にロックするものとしたので、携帯時等において印字体４の印面を覆うキャップ１５が勝手に開いてしまって、手や衣服等をインクで汚してしまったり、印面にホコリが付着してしまうということがないものである。
又、ロックを解除する操作とキャップ１５の開閉操作とを同一の部分で行える様にしたため、外観が小型化されて携帯がしやすいと共に、キャップ１５の開閉操作を片手で容易に行なうことができる操作性に優れたものである。
【図面の簡単な説明】
【図１】    本発明のキャップ閉塞状態を示す部分断面図
【図２】    本発明のストッパーのロックを解除した状態を示す部分断面図
【図３】    本発明のキャップのロックを解除した状態を示す部分断面図
【図４】    本発明のキャップを開いた状態を示す部分断面図
【図５】    本発明の分解斜視図
【符号の説明】
１      印鑑本体
２      把持筒部
３      印判部
４      印字体
５      受金
６      インキカートリッジ
７      クリップ
８      クリップホルダー
９      スライドレール部
１０      スライド
１１      開口部
１１′    開口端部
１２      係止凸部
１３      軸受け凸片
１４      摺動溝
１５      キャップ
１６      軸受け片
１６′    当接面
１７      枢軸
１８      ストッパー
１８′    当接凸片
１９      摺動片
２０      窓部
２１      ロックボタン
２２      係止片
２３      板ばね
【図１】
0003712488.tif 000002
【図２】
0003712488.tif 000003
【図３】
0003712488.tif 000004
【図４】
0003712488.tif 000005
【図５】
0003712488.tif 000006